(57)【要約】【課題】  成果物の生成の少なくとも１つの工程を実行する電子機器の設置場所による成果物の品質のばらつきを低減することができる生産管理システムおよび生産管理プログラムを提供する。【解決手段】  メディアに印刷を実行して生成される成果物の生産を管理する生産管理システムは、成果物の品質と、成果物の生成の少なくとも１つの工程を実行する電子機器の種類および設置場所と、電子機器による処理の推奨の条件との関連を、成果物の生成の工程毎に示す処理条件情報と、成果物の目的の品質と、成果物の生成に使用する予定の電子機器の種類および設置場所とに基づいて、成果物の生成に使用する予定の電子機器による処理の推奨の条件を決定する（Ｓ１０４、Ｓ１１４）ことを特徴とする。【選択図】  図６
2020098447.tif 000002
【特許請求の範囲】
【請求項１】
メディアに印刷を実行して生成される成果物の生産を管理する生産管理システムであって、
前記成果物の生成の工程は、
前記印刷の工程と、
前記印刷の前処理の工程、および、前記印刷の後処理の工程の少なくとも１つと
を含み、
前記生産管理システムは、
前記成果物の生成の少なくとも１つの工程を実行する電子機器による処理の推奨の条件を示す処理条件情報を管理する処理条件情報管理部と、
前記成果物の生成に使用する予定の前記電子機器による処理の推奨の条件を決定する推奨条件決定部と
を備え、
前記処理条件情報は、
前記成果物の品質と、
前記電子機器の種類および設置場所と、
前記電子機器による処理の推奨の条件と
の関連を、前記成果物の生成の工程毎に示す情報であり、
前記推奨条件決定部は、
前記成果物の目的の品質と、
前記成果物の生成に使用する予定の前記電子機器の種類および設置場所と、
前記処理条件情報管理部によって管理されている前記処理条件情報と
に基づいて、前記成果物の生成に使用する予定の前記電子機器による処理の推奨の条件を決定することを特徴とする生産管理システム。
【請求項２】
前記成果物の生成に使用する予定の前記電子機器を特定のアルゴリズムに基づいて自動で決定する使用機器決定部を備えることを特徴とする請求項１に記載の生産管理システム。
【請求項３】
前記処理条件情報管理部は、前記電子機器による処理の実際の条件と、この条件によって前記電子機器によって処理された前記成果物の実際の品質とに基づいて、前記処理条件情報を学習することを特徴とする請求項１または請求項２に記載の生産管理システム。
【請求項４】
メディアに印刷を実行して生成される成果物の生産を管理する生産管理プログラムであって、
前記成果物の生成の工程は、
前記印刷の工程と、
前記印刷の前処理の工程、および、前記印刷の後処理の工程の少なくとも１つと
を含み、
前記生産管理プログラムは、
前記成果物の生成の少なくとも１つの工程を実行する電子機器による処理の推奨の条件を示す処理条件情報を管理する処理条件情報管理部と、
前記成果物の生成に使用する予定の前記電子機器による処理の推奨の条件を決定する推奨条件決定部と
をコンピューターに実現させ、
前記処理条件情報は、
前記成果物の品質と、
前記電子機器の種類および設置場所と、
前記電子機器による処理の推奨の条件と
の関連を、前記成果物の生成の工程毎に示す情報であり、
前記推奨条件決定部は、
前記成果物の目的の品質と、
前記成果物の生成に使用する予定の前記電子機器の種類および設置場所と、
前記処理条件情報管理部によって管理されている前記処理条件情報と
に基づいて、前記成果物の生成に使用する予定の前記電子機器による処理の推奨の条件を決定することを特徴とする生産管理プログラム。
【発明の詳細な説明】
【技術分野】
【０００１】
本発明は、テキスタイルなどのメディアに印刷を実行して生成される成果物の生産を管理する生産管理システムおよび生産管理プログラムに関する。
【背景技術】
【０００２】
従来、長尺のテキスタイルに印刷を実行して生成される成果物を生産する方法として、テキスタイルに対する印刷の前処理と、このテキスタイルに対する印刷と、このテキスタイルに対する印刷の後処理とを含む方法が知られている（例えば、特許文献１参照。）。
【先行技術文献】
【特許文献】
【０００３】
【特許文献１】特開２０１５−１４７８４８号公報
【発明の概要】
【発明が解決しようとする課題】
【０００４】
しかしながら、従来の方法においては、成果物の生成の少なくとも１つの工程を実行する電子機器の設置場所によって異なる、水質、環境温度、環境湿度などの条件が考慮されないので、電子機器の設置場所によって成果物の品質にばらつきがあるという問題がある。
【０００５】
そこで、本発明は、成果物の生成の少なくとも１つの工程を実行する電子機器の設置場所による成果物の品質のばらつきを低減することができる生産管理システムおよび生産管理プログラムを提供することを目的とする。
【課題を解決するための手段】
【０００６】
本発明の生産管理システムは、メディアに印刷を実行して生成される成果物の生産を管理する生産管理システムであって、前記成果物の生成の工程は、前記印刷の工程と、前記印刷の前処理の工程、および、前記印刷の後処理の工程の少なくとも１つとを含み、前記生産管理システムは、前記成果物の生成の少なくとも１つの工程を実行する電子機器による処理の推奨の条件を示す処理条件情報を管理する処理条件情報管理部と、前記成果物の生成に使用する予定の前記電子機器による処理の推奨の条件を決定する推奨条件決定部とを備え、前記処理条件情報は、前記成果物の品質と、前記電子機器の種類および設置場所と、前記電子機器による処理の推奨の条件との関連を、前記成果物の生成の工程毎に示す情報であり、前記推奨条件決定部は、前記成果物の目的の品質と、前記成果物の生成に使用する予定の前記電子機器の種類および設置場所と、前記処理条件情報管理部によって管理されている前記処理条件情報とに基づいて、前記成果物の生成に使用する予定の前記電子機器による処理の推奨の条件を決定することを特徴とする。
【０００７】
この構成により、本発明の生産管理システムは、成果物の品質と、成果物の生成に使用する電子機器の種類および設置場所と、電子機器による処理の推奨の条件との関連を示す処理条件情報と、成果物の目的の品質と、成果物の生成に使用する予定の電子機器の種類および設置場所とに基づいて、成果物の生成に使用する予定の電子機器による処理の推奨の条件を決定するので、成果物の生成に使用する電子機器の設置場所による成果物の品質のばらつきを低減することができる。
【０００８】
本発明の生産管理システムは、前記成果物の生成に使用する予定の前記電子機器を特定のアルゴリズムに基づいて自動で決定する使用機器決定部を備えても良い。
【０００９】
この構成により、本発明の生産管理システムは、成果物の生成に使用する予定の電子機器を特定のアルゴリズムに基づいて自動で決定するので、利便性を向上することができる。
【００１０】
本発明の生産管理システムにおいて、前記処理条件情報管理部は、前記電子機器による処理の実際の条件と、この条件によって前記電子機器によって処理された前記成果物の実際の品質とに基づいて、前記処理条件情報を学習しても良い。
【００１１】
この構成により、本発明の生産管理システムは、電子機器による処理の実際の条件と、この条件によって電子機器によって処理された成果物の実際の品質とに基づいて、処理条件情報を学習するので、処理条件情報の精度を向上することができ、その結果、成果物の生成に使用する電子機器の設置場所による成果物の品質のばらつきを更に低減することができる。
【００１２】
本発明の生産管理プログラムは、メディアに印刷を実行して生成される成果物の生産を管理する生産管理プログラムであって、前記成果物の生成の工程は、前記印刷の工程と、前記印刷の前処理の工程、および、前記印刷の後処理の工程の少なくとも１つとを含み、前記生産管理プログラムは、前記成果物の生成の少なくとも１つの工程を実行する電子機器による処理の推奨の条件を示す処理条件情報を管理する処理条件情報管理部と、前記成果物の生成に使用する予定の前記電子機器による処理の推奨の条件を決定する推奨条件決定部とをコンピューターに実現させ、前記処理条件情報は、前記成果物の品質と、前記電子機器の種類および設置場所と、前記電子機器による処理の推奨の条件との関連を、前記成果物の生成の工程毎に示す情報であり、前記推奨条件決定部は、前記成果物の目的の品質と、前記成果物の生成に使用する予定の前記電子機器の種類および設置場所と、前記処理条件情報管理部によって管理されている前記処理条件情報とに基づいて、前記成果物の生成に使用する予定の前記電子機器による処理の推奨の条件を決定することを特徴とする。
【００１３】
この構成により、本発明の生産管理プログラムを実行するコンピューターは、成果物の品質と、成果物の生成に使用する電子機器の種類および設置場所と、電子機器による処理の推奨の条件との関連を示す処理条件情報と、成果物の目的の品質と、成果物の生成に使用する予定の電子機器の種類および設置場所とに基づいて、成果物の生成に使用する予定の電子機器による処理の推奨の条件を決定するので、成果物の生成に使用する電子機器の設置場所による成果物の品質のばらつきを低減することができる。
【発明の効果】
【００１４】
本発明の生産管理システムおよび生産管理プログラムは、成果物の生成の少なくとも１つの工程を実行する電子機器の設置場所による成果物の品質のばらつきを低減することができる。
【図面の簡単な説明】
【００１５】
【図１】本発明の一実施の形態に係る生産システムのブロック図である。
【図２】１台のコンピューターによって構成される場合の図１に示す生産管理システムのブロック図である。
【図３】図２に示す前処理機情報の一例を示す図である。
【図４】図２に示す前処理機処理条件情報の一例を示す図である。
【図５】図２に示す生産履歴情報の一例を示す図である。
【図６】成果物を生産する場合の図２に示す生産管理システムの動作の一部のフローチャートである。
【図７】図６に示すフローチャートの続きのフローチャートである。
【図８】図７に示すフローチャートの続きのフローチャートである。
【発明を実施するための形態】
【００１６】
以下、本発明の一実施の形態について、図面を用いて説明する。
【００１７】
まず、本実施の形態に係る生産システムの構成について説明する。
【００１８】
図１は、本実施の形態に係る生産システム１０のブロック図である。
【００１９】
図１に示す生産システム１０は、テキスタイルなどのメディアに印刷を実行して生成される成果物を生産するシステムである。生産システム１０は、成果物の生産を管理する生産管理システム２０と、メディアに対する印刷の前処理として、インクの滲みを防止するための前処理剤をメディアに塗布する処理を実行する電子機器である前処理機３０と、前処理剤が付されたメディアに対してインクによる印刷を実行する電子機器であるプリンター４０と、メディアに対する印刷の後処理として、インクによる印刷が実行されたメディアを蒸す処理を実行することによって、インクの定着および発色を実現する電子機器である蒸し機５０と、メディアに対する印刷の後処理として、インクの定着および発色が実行されたメディアを洗う処理を実行することによって、余分な前処理剤および余分なインクをメディアから除去する電子機器である洗い機６０とを備えている。成果物は、メディアへの前処理剤の塗布の工程、メディアへのインクによる印刷の工程、メディアの蒸しの工程、メディアの洗いの工程の順番で実行されることによって、生産される。
【００２０】
生産管理システム２０は、１台のコンピューターによって構成されても良いし、複数台のコンピューターによって構成されても良い。
【００２１】
生産システム１０は、前処理機３０以外にも、前処理剤をメディアに塗布する処理を実行する前処理機を少なくとも１つ備えても良い。生産システム１０に前処理機が複数含まれる場合、生産システム１０に含まれる前処理機は、複数の地域に分散して配置されても良い。前処理機によって使用される処理液は、前処理剤である。前処理機による処理の条件としては、例えば、メディアのうち前処理が実行されている部分の搬送速度と、メディアのうち前処理が実行されている部分に加える張力と、メディアのうち前処理が実行されている部分の近傍の温度とが存在する。ここで、前処理機におけるメディアの搬送経路のうちメディアに前処理が実行される部分の長さが一定であるので、メディアのうち前処理が実行されている部分の搬送速度は、メディアのうち同一の部分に対する前処理の実行時間に比例する。
【００２２】
生産システム１０は、プリンター４０以外にも、メディアに対してインクによる印刷を実行するプリンターを少なくとも１つ備えても良い。生産システム１０にプリンターが複数含まれる場合、生産システム１０に含まれるプリンターは、複数の地域に分散して配置されても良い。生産システム１０に含まれるプリンターは、例えば、インクジェットプリンターでも良い。プリンターによって使用される処理液は、インクである。プリンターによる処理の条件としては、例えば、メディアのうち印刷が実行されている部分の搬送速度と、メディアのうち印刷が実行された部分の乾燥時間とが存在する。ここで、プリンターにおけるメディアの搬送経路のうちメディアに印刷が実行される部分の長さが一定であるので、メディアのうち印刷が実行されている部分の搬送速度は、メディアのうち同一の部分に対する印刷の実行時間に比例する。
【００２３】
生産システム１０は、蒸し機５０以外にも、メディアを蒸す処理を実行する蒸し機を少なくとも１つ備えても良い。生産システム１０に蒸し機が複数含まれる場合、生産システム１０に含まれる蒸し機は、複数の地域に分散して配置されても良い。蒸し機によって使用される処理液は、水である。蒸し機による処理の条件としては、例えば、メディアのうち蒸し処理が実行されている部分の搬送速度と、メディアのうち蒸し処理が実行されている部分の近傍の温度と、メディアのうち蒸し処理が実行されている部分の近傍の湿度とが存在する。ここで、蒸し機におけるメディアの搬送経路のうちメディアに蒸し処理が実行される部分の長さが一定であるので、メディアのうち蒸し処理が実行されている部分の搬送速度は、メディアのうち同一の部分に対する蒸し処理の実行時間に比例する。
【００２４】
生産システム１０は、洗い機６０以外にも、メディアを洗う処理を実行する洗い機を少なくとも１つ備えても良い。生産システム１０に洗い機が複数含まれる場合、生産システム１０に含まれる洗い機は、複数の地域に分散して配置されても良い。洗い機によって使用される処理液は、水である。洗い機による処理の条件としては、例えば、メディアのうち洗い処理が実行されている部分の搬送速度と、メディアのうち洗い処理が実行されている部分に加える張力と、メディアのうち洗い処理が実行されている部分の近傍の温度と、洗い機における水の入れ替えのタイミングとが存在する。ここで、洗い機におけるメディアの搬送経路のうちメディアに洗い処理が実行される部分の長さが一定であるので、メディアのうち洗い処理が実行されている部分の搬送速度は、メディアのうち同一の部分に対する洗い処理の実行時間に比例する。また、洗い機における水の入れ替えのタイミングは、どの程度の長さのメディアに対して洗い処理を実行する度にどの程度の量の水を入れ替えるかという条件である。
【００２５】
生産管理システム２０と、生産システム１０に含まれる前処理機、プリンター、蒸し機および洗い機とは、ＬＡＮ（Ｌｏｃａｌ  Ａｒｅａ  Ｎｅｔｗｏｒｋ）、インターネットなどのネットワークを介して互いに通信可能に接続されている。
【００２６】
図２は、１台のコンピューターによって構成される場合の生産管理システム２０のブロック図である。
【００２７】
図２に示す生産管理システム２０は、種々の操作が入力される例えばキーボード、マウスなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、ＬＡＮ、インターネットなどのネットワーク経由で、または、ネットワークを介さずに有線または無線によって直接に、外部の装置と通信を行う通信デバイスである通信部２３と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２４と、生産管理システム２０全体を制御する制御部２５とを備えている。
【００２８】
記憶部２４は、成果物の生産を管理するための生産管理プログラム２４ａを記憶している。生産管理プログラム２４ａは、例えば、生産管理システム２０の製造段階で生産管理システム２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部の記憶媒体から生産管理システム２０に追加でインストールされても良いし、ネットワーク上から生産管理システム２０に追加でインストールされても良い。
【００２９】
記憶部２４は、生産システム１０に含まれる前処理機の種類および設置場所を示す前処理機情報２４ｂを記憶している。
【００３０】
図３は、前処理機情報２４ｂの一例を示す図である。
【００３１】
図３に示すように、前処理機情報２４ｂは、例えば、前処理機の識別情報と、前処理機の設置場所とを関連付けて示している。ここで、設置場所は、任意の粒度の地域で示されても良い。例えば、設置場所は、アメリカ、ヨーロッパ、中国、日本などの国以上の粒度の地域で示されても良いし、長野県、東京都、北海道などの国未満の粒度の地域で示されても良い。
【００３２】
図１に示すように、記憶部２４は、生産システム１０に含まれるプリンターの種類および設置場所を示すプリンター情報２４ｃを記憶している。プリンター情報２４ｃは、前処理機情報２４ｂと同様に、例えば、プリンターの識別情報と、プリンターの設置場所とを関連付けて示している。
【００３３】
記憶部２４は、生産システム１０に含まれる蒸し機の種類および設置場所を示す蒸し機情報２４ｄを記憶している。蒸し機情報２４ｄは、前処理機情報２４ｂと同様に、例えば、蒸し機の識別情報と、蒸し機の設置場所とを関連付けて示している。
【００３４】
記憶部２４は、生産システム１０に含まれる洗い機の種類および設置場所を示す洗い機情報２４ｅを記憶している。洗い機情報２４ｅは、前処理機情報２４ｂと同様に、例えば、洗い機の識別情報と、洗い機の設置場所とを関連付けて示している。
【００３５】
記憶部２４は、生産システム１０に含まれる前処理機による処理の推奨の条件を示す処理条件情報としての前処理機処理条件情報２４ｆを記憶している。前処理機処理条件情報２４ｆは、生産システム１０によって成果物が生産された場合に、後述の処理条件情報管理部２５ａによって更新される場合がある。前処理機処理条件情報２４ｆの初期値は、例えば、前処理機の製造業者から提供されることによって処理条件情報管理部２５ａによって管理されても良い。
【００３６】
図４は、前処理機処理条件情報２４ｆの一例を示す図である。
【００３７】
図４に示すように、前処理機処理条件情報２４ｆは、前処理機によって処理されるメディアの種類と、前処理機によって使用される前処理剤の種類と、成果物の品質と、前処理機の種類および設置場所と、前処理機による処理の推奨の条件との関連を示す情報である。なお、図４は、前処理機によって処理されるメディアの種類と、前処理機によって使用される前処理剤の種類と、成果物の品質と、前処理機による処理の推奨の条件とに関して、具体的な値を省略して描いている。なお、成果物の品質とは、例えば、成果物の色の品質である。
【００３８】
図１に示すように、記憶部２４は、生産システム１０に含まれるプリンターによる処理の推奨の条件を示す処理条件情報としてのプリンター処理条件情報２４ｇを記憶している。プリンター処理条件情報２４ｇは、生産システム１０によって成果物が生産された場合に、後述の処理条件情報管理部２５ａによって更新される場合がある。プリンター処理条件情報２４ｇの初期値は、例えば、プリンターの製造業者から提供されることによって処理条件情報管理部２５ａによって管理されても良い。プリンター処理条件情報２４ｇは、プリンターによって処理されるメディアの種類と、プリンターによって使用されるインクの種類と、成果物の品質と、プリンターの種類および設置場所と、プリンターによる処理の推奨の条件との関連を示す情報である。
【００３９】
記憶部２４は、生産システム１０に含まれる蒸し機による処理の推奨の条件を示す処理条件情報としての蒸し機処理条件情報２４ｈを記憶している。蒸し機処理条件情報２４ｈは、生産システム１０によって成果物が生産された場合に、後述の処理条件情報管理部２５ａによって更新される場合がある。蒸し機処理条件情報２４ｈの初期値は、例えば、蒸し機の製造業者から提供されることによって処理条件情報管理部２５ａによって管理されても良い。蒸し機処理条件情報２４ｈは、蒸し機によって処理されるメディアの種類と、成果物の品質と、蒸し機の種類および設置場所と、蒸し機による処理の推奨の条件との関連を示す情報である。
【００４０】
記憶部２４は、生産システム１０に含まれる洗い機による処理の推奨の条件を示す処理条件情報としての洗い機処理条件情報２４ｉを記憶している。洗い機処理条件情報２４ｉは、生産システム１０によって成果物が生産された場合に、後述の処理条件情報管理部２５ａによって更新される場合がある。洗い機処理条件情報２４ｉの初期値は、例えば、洗い機の製造業者から提供されることによって処理条件情報管理部２５ａによって管理されても良い。洗い機処理条件情報２４ｉは、洗い機によって処理されるメディアの種類と、成果物の品質と、洗い機の種類および設置場所と、洗い機による処理の推奨の条件との関連を示す情報である。
【００４１】
記憶部２４は、生産システム１０による成果物の生産の履歴を示す生産履歴情報２４ｊを記憶している。
【００４２】
図５は、生産履歴情報２４ｊの一例を示す図である。
【００４３】
図５に示すように、生産履歴情報２４ｊは、生産システム１０による成果物の生産毎に、例えば、生産の日時と、生産の対象の成果物の目的の品質と、生産に使用したメディアの種類と、生産に使用した前処理機の種類および設置場所と、生産に使用した前処理剤の種類と、生産に使用した前処理機による処理の条件と、生産に使用したプリンターの種類および設置場所と、生産に使用したインクの種類と、生産に使用したプリンターによる処理の条件と、生産に使用した蒸し機の種類および設置場所と、生産に使用した蒸し機による処理の条件と、生産に使用した洗い機の種類および設置場所と、生産に使用した洗い機による処理の条件と、生産の対象の成果物が目的の品質であったか否かの情報とを示している。なお、図５は、生産の日時と、生産の対象の成果物が目的の品質であったか否かの情報とを除く項目の具体的な値を省略して描いている。
【００４４】
図１に示す制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００４５】
制御部２５は、生産管理プログラム２４ａを実行することによって、処理条件情報を管理する処理条件情報管理部２５ａと、成果物の生成に使用する予定の電子機器を特定のアルゴリズムに基づいて自動で決定する使用機器決定部２５ｂと、成果物の生成に使用する予定の電子機器による処理の推奨の条件を決定する推奨条件決定部２５ｃとを実現する。
【００４６】
次に、生産システム１０の動作について説明する。
【００４７】
まず、成果物を生産する場合の生産システム１０の動作について説明する。
【００４８】
図６〜図８は、成果物を生産する場合の生産管理システム２０の動作のフローチャートである。
【００４９】
制御部２５は、生産管理プログラム２４ａを実行している場合に、成果物の生産のジョブ（以下「対象ジョブ」という。）を通信部２３を介して受信すると、図６〜図８に示す動作を実行する。
【００５０】
図６〜図８に示すように、使用機器決定部２５ｂは、メディアへの前処理剤の塗布を実行させる前処理機を決定する（Ｓ１０１）。ここで、使用機器決定部２５ｂは、対象ジョブにおいて前処理機が指示されている場合には、対象ジョブにおいて指示されている前処理機をＳ１０１において決定しても良い。また、使用機器決定部２５ｂは、対象ジョブの受信後に通信部２３を介して受信した指示に応じた前処理機をＳ１０１において決定しても良い。また、使用機器決定部２５ｂは、前処理機情報２４ｂに示されている前処理機のうち、特定のアルゴリズムに基づいて自動で選択した前処理機をＳ１０１において決定しても良い。ここで、特定のアルゴリズムとしては、例えば、実行待ちのジョブが最も少ない前処理機を選択するアルゴリズムや、特定の機能や生産能力などの性能を備えている前処理機を選択するアルゴリズムなど、任意のアルゴリズムが採用されることが可能である。
【００５１】
制御部２５は、Ｓ１０１の処理の後、Ｓ１０１において決定された前処理機に、対象ジョブにおいて示されているメディアおよび前処理剤をセットすることを前処理機の操作者に通知する（Ｓ１０２）。Ｓ１０２における通知先は、例えば、Ｓ１０１において決定された前処理機の図示していない表示部でも良いし、Ｓ１０１において決定された前処理機とは別の電子機器の表示部でも良い。前処理機の操作者は、Ｓ１０２における通知を受けると、Ｓ１０２において通知された前処理機に、Ｓ１０２において通知されたメディアおよび前処理剤をセットした後、メディアおよび前処理剤のセットが完了したことを、例えば、Ｓ１０２において通知された前処理機の図示していない操作部や、Ｓ１０２において通知された前処理機とは別の電子機器の操作部を介して、生産管理システム２０に通知することができる。
【００５２】
制御部２５は、Ｓ１０２の処理の後、メディアおよび前処理剤のセットが完了したことが通知されたと判断するまで、メディアおよび前処理剤のセットが完了したことが通知されたか否かを判断する（Ｓ１０３）。
【００５３】
推奨条件決定部２５ｃは、メディアおよび前処理剤のセットが完了したことが通知されたとＳ１０３において判断されると、Ｓ１０１において決定された前処理機による処理の推奨の条件を決定する（Ｓ１０４）。ここで、推奨条件決定部２５ｃは、対象ジョブにおいて示されているメディアの種類と、対象ジョブにおいて示されている前処理剤の種類と、対象ジョブにおいて示されている成果物の目的の品質と、Ｓ１０１において決定された前処理機の種類および設置場所との組み合わせに、前処理機処理条件情報２４ｆにおいて関連付けられている、処理の推奨の条件を、Ｓ１０１において決定された前処理機による処理の推奨の条件として決定する。
【００５４】
推奨条件決定部２５ｃは、Ｓ１０４の処理の後、Ｓ１０４において決定された、前処理機による処理の推奨の条件を利用者に通知する（Ｓ１０５）。ここで、利用者とは、例えば、Ｓ１０１において決定された前処理機の操作者でも良い。Ｓ１０５における通知先は、例えば、Ｓ１０１において決定された前処理機の図示していない表示部でも良いし、Ｓ１０１において決定された前処理機とは別の電子機器の表示部でも良い。利用者は、Ｓ１０５における通知を受けると、利用者が希望する、前処理機による処理の条件を、例えば、Ｓ１０５における通知先の電子機器の図示していない操作部を介して、生産管理システム２０に通知することができる。ここで、利用者が希望する、前処理機による処理の条件は、Ｓ１０５において通知された、前処理機による処理の推奨の条件と同一でも良いし、Ｓ１０５において通知された、前処理機による処理の推奨の条件から変更されても良い。
【００５５】
制御部２５は、Ｓ１０５の処理の後、利用者が希望する、前処理機による処理の条件が通知されたと判断するまで、利用者が希望する、前処理機による処理の条件が通知されたか否かを判断する（Ｓ１０６）。
【００５６】
制御部２５は、利用者が希望する、前処理機による処理の条件が通知されたとＳ１０６において判断すると、Ｓ１０１において決定された前処理機にメディアへの前処理剤の塗布を指示する（Ｓ１０７）。ここで、Ｓ１０７における指示には、Ｓ１０６において通知されたと判断した、前処理機による処理の条件が含まれる。前処理機は、Ｓ１０７における指示を受けると、Ｓ１０７における指示に応じてメディアへの前処理剤の塗布を実行し、メディアへの前処理剤の塗布が完了すると、メディアへの前処理剤の塗布の処理が完了したことを生産管理システム２０に通知する。
【００５７】
制御部２５は、Ｓ１０７の処理の後、メディアへの前処理剤の塗布の処理が完了したことが通知されたと判断するまで、メディアへの前処理剤の塗布の処理が完了したことが通知されたか否かを判断する（Ｓ１０８）。
【００５８】
使用機器決定部２５ｂは、メディアへの前処理剤の塗布の処理が完了したことが通知されたとＳ１０８において判断されると、メディアへのインクによる印刷を実行させるプリンターを決定する（Ｓ１１１）。ここで、使用機器決定部２５ｂは、対象ジョブにおいてプリンターが指示されている場合には、対象ジョブにおいて指示されているプリンターをＳ１１１において決定しても良い。また、使用機器決定部２５ｂは、対象ジョブの受信後に通信部２３を介して受信した指示に応じたプリンターをＳ１１１において決定しても良い。また、使用機器決定部２５ｂは、プリンター情報２４ｃに示されているプリンターのうち、特定のアルゴリズムに基づいて自動で選択したプリンターをＳ１１１において決定しても良い。ここで、特定のアルゴリズムとしては、例えば、実行待ちのジョブが最も少ないプリンターを選択するアルゴリズムや、特定の機能や生産能力などの性能を備えているプリンターを選択するアルゴリズムなど、任意のアルゴリズムが採用されることが可能である。
【００５９】
制御部２５は、Ｓ１１１の処理の後、Ｓ１１１において決定されたプリンターに、対象ジョブにおいて示されているメディアおよびインクをセットすることをプリンターの操作者に通知する（Ｓ１１２）。Ｓ１１２における通知先は、例えば、Ｓ１１１において決定されたプリンターの図示していない表示部でも良いし、Ｓ１１１において決定されたプリンターとは別の電子機器の表示部でも良い。プリンターの操作者は、Ｓ１１２における通知を受けると、Ｓ１１２において通知されたメディア、すなわち、Ｓ１０７における指示に応じて前処理機によって前処理剤が塗布されたメディアと、Ｓ１１２において通知されたインクとを、Ｓ１１２において通知されたプリンターにセットした後、メディアおよびインクのセットが完了したことを、例えば、Ｓ１１２において通知されたプリンターの図示していない操作部や、Ｓ１１２において通知されたプリンターとは別の電子機器の操作部を介して、生産管理システム２０に通知することができる。
【００６０】
制御部２５は、Ｓ１１２の処理の後、メディアおよびインクのセットが完了したことが通知されたと判断するまで、メディアおよびインクのセットが完了したことが通知されたか否かを判断する（Ｓ１１３）。
【００６１】
推奨条件決定部２５ｃは、メディアおよびインクのセットが完了したことが通知されたとＳ１１３において判断されると、Ｓ１１１において決定されたプリンターによる処理の推奨の条件を決定する（Ｓ１１４）。ここで、推奨条件決定部２５ｃは、対象ジョブにおいて示されているメディアの種類と、対象ジョブにおいて示されているインクの種類と、対象ジョブにおいて示されている成果物の目的の品質と、Ｓ１１１において決定されたプリンターの種類および設置場所との組み合わせに、プリンター処理条件情報２４ｇにおいて関連付けられている、処理の推奨の条件を、Ｓ１１１において決定されたプリンターによる処理の推奨の条件として決定する。
【００６２】
推奨条件決定部２５ｃは、Ｓ１１４の処理の後、Ｓ１１４において決定された、プリンターによる処理の推奨の条件を利用者に通知する（Ｓ１１５）。ここで、利用者とは、例えば、Ｓ１１１において決定されたプリンターの操作者でも良い。Ｓ１１５における通知先は、例えば、Ｓ１１１において決定されたプリンターの図示していない表示部でも良いし、Ｓ１１１において決定されたプリンターとは別の電子機器の表示部でも良い。利用者は、Ｓ１１５における通知を受けると、利用者が希望する、プリンターによる処理の条件を、例えば、Ｓ１１５における通知先の電子機器の図示していない操作部を介して、生産管理システム２０に通知することができる。ここで、利用者が希望する、プリンターによる処理の条件は、Ｓ１１５において通知された、プリンターによる処理の推奨の条件と同一でも良いし、Ｓ１１５において通知された、プリンターによる処理の推奨の条件から変更されても良い。
【００６３】
制御部２５は、Ｓ１１５の処理の後、利用者が希望する、プリンターによる処理の条件が通知されたと判断するまで、利用者が希望する、プリンターによる処理の条件が通知されたか否かを判断する（Ｓ１１６）。
【００６４】
制御部２５は、利用者が希望する、プリンターによる処理の条件が通知されたとＳ１１６において判断すると、Ｓ１１１において決定されたプリンターにメディアへのインクによる印刷を指示する（Ｓ１１７）。ここで、Ｓ１１７における指示には、Ｓ１１６において通知されたと判断した、プリンターによる処理の条件が含まれる。プリンターは、Ｓ１１７における指示を受けると、Ｓ１１７における指示に応じてメディアへのインクによる印刷を実行し、メディアへのインクによる印刷が完了すると、メディアへのインクによる印刷の処理が完了したことを生産管理システム２０に通知する。
【００６５】
制御部２５は、Ｓ１１７の処理の後、メディアへのインクによる印刷の処理が完了したことが通知されたと判断するまで、メディアへのインクによる印刷の処理が完了したことが通知されたか否かを判断する（Ｓ１１８）。
【００６６】
使用機器決定部２５ｂは、メディアへのインクによる印刷の処理が完了したことが通知されたとＳ１１８において判断されると、メディアの蒸しを実行させる蒸し機を決定する（Ｓ１２１）。ここで、使用機器決定部２５ｂは、対象ジョブにおいて蒸し機が指示されている場合には、対象ジョブにおいて指示されている蒸し機をＳ１２１において決定しても良い。また、使用機器決定部２５ｂは、対象ジョブの受信後に通信部２３を介して受信した指示に応じた蒸し機をＳ１２１において決定しても良い。また、使用機器決定部２５ｂは、蒸し機情報２４ｄに示されている蒸し機のうち、特定のアルゴリズムに基づいて自動で選択した蒸し機をＳ１２１において決定しても良い。ここで、特定のアルゴリズムとしては、例えば、実行待ちのジョブが最も少ない蒸し機を選択するアルゴリズムや、特定の機能や生産能力などの性能を備えている蒸し機を選択するアルゴリズムなど、任意のアルゴリズムが採用されることが可能である。
【００６７】
制御部２５は、Ｓ１２１の処理の後、Ｓ１２１において決定された蒸し機に、対象ジョブにおいて示されているメディアと、水とをセットすることを蒸し機の操作者に通知する（Ｓ１２２）。Ｓ１２２における通知先は、例えば、Ｓ１２１において決定された蒸し機の図示していない表示部でも良いし、Ｓ１２１において決定された蒸し機とは別の電子機器の表示部でも良い。蒸し機の操作者は、Ｓ１２２における通知を受けると、Ｓ１２２において通知されたメディア、すなわち、Ｓ１１７における指示に応じてプリンターによって印刷が実行されたメディアと、水とを、Ｓ１２２において通知された蒸し機にセットした後、メディアおよび水のセットが完了したことを、例えば、Ｓ１２２において通知された蒸し機の図示していない操作部や、Ｓ１２２において通知された蒸し機とは別の電子機器の操作部を介して、生産管理システム２０に通知することができる。
【００６８】
制御部２５は、Ｓ１２２の処理の後、メディアおよび水のセットが完了したことが通知されたと判断するまで、メディアおよび水のセットが完了したことが通知されたか否かを判断する（Ｓ１２３）。
【００６９】
推奨条件決定部２５ｃは、メディアおよび水のセットが完了したことが通知されたとＳ１２３において判断されると、Ｓ１２１において決定された蒸し機による処理の推奨の条件を決定する（Ｓ１２４）。ここで、推奨条件決定部２５ｃは、対象ジョブにおいて示されているメディアの種類と、対象ジョブにおいて示されている成果物の目的の品質と、Ｓ１２１において決定された蒸し機の種類および設置場所との組み合わせに、蒸し機処理条件情報２４ｈにおいて関連付けられている、処理の推奨の条件を、Ｓ１２１において決定された蒸し機による処理の推奨の条件として決定する。
【００７０】
推奨条件決定部２５ｃは、Ｓ１２４の処理の後、Ｓ１２４において決定された、蒸し機による処理の推奨の条件を利用者に通知する（Ｓ１２５）。ここで、利用者とは、例えば、Ｓ１２１において決定された蒸し機の操作者でも良い。Ｓ１２５における通知先は、例えば、Ｓ１２１において決定された蒸し機の図示していない表示部でも良いし、Ｓ１２１において決定された蒸し機とは別の電子機器の表示部でも良い。利用者は、Ｓ１２５における通知を受けると、利用者が希望する、蒸し機による処理の条件を、例えば、Ｓ１２５における通知先の電子機器の図示していない操作部を介して、生産管理システム２０に通知することができる。ここで、利用者が希望する、蒸し機による処理の条件は、Ｓ１２５において通知された、蒸し機による処理の推奨の条件と同一でも良いし、Ｓ１２５において通知された、蒸し機による処理の推奨の条件から変更されても良い。
【００７１】
制御部２５は、Ｓ１２５の処理の後、利用者が希望する、蒸し機による処理の条件が通知されたと判断するまで、利用者が希望する、蒸し機による処理の条件が通知されたか否かを判断する（Ｓ１２６）。
【００７２】
制御部２５は、利用者が希望する、蒸し機による処理の条件が通知されたとＳ１２６において判断すると、Ｓ１２１において決定された蒸し機にメディアの蒸しを指示する（Ｓ１２７）。ここで、Ｓ１２７における指示には、Ｓ１２６において通知されたと判断した、蒸し機による処理の条件が含まれる。蒸し機は、Ｓ１２７における指示を受けると、Ｓ１２７における指示に応じてメディアの蒸しを実行し、メディアの蒸しが完了すると、メディアの蒸しの処理が完了したことを生産管理システム２０に通知する。
【００７３】
制御部２５は、Ｓ１２７の処理の後、メディアの蒸しの処理が完了したことが通知されたと判断するまで、メディアの蒸しの処理が完了したことが通知されたか否かを判断する（Ｓ１２８）。
【００７４】
使用機器決定部２５ｂは、メディアの蒸しの処理が完了したことが通知されたとＳ１２８において判断されると、メディアの洗いを実行させる洗い機を決定する（Ｓ１３１）。ここで、使用機器決定部２５ｂは、対象ジョブにおいて洗い機が指示されている場合には、対象ジョブにおいて指示されている洗い機をＳ１３１において決定しても良い。また、使用機器決定部２５ｂは、対象ジョブの受信後に通信部２３を介して受信した指示に応じた洗い機をＳ１３１において決定しても良い。また、使用機器決定部２５ｂは、洗い機情報２４ｅに示されている洗い機のうち、特定のアルゴリズムに基づいて自動で選択した洗い機をＳ１３１において決定しても良い。ここで、特定のアルゴリズムとしては、例えば、実行待ちのジョブが最も少ない洗い機を選択するアルゴリズムや、特定の機能や生産能力などの性能を備えている洗い機を選択するアルゴリズムなど、任意のアルゴリズムが採用されることが可能である。
【００７５】
制御部２５は、Ｓ１３１の処理の後、Ｓ１３１において決定された洗い機に、対象ジョブにおいて示されているメディアと、水とをセットすることを洗い機の操作者に通知する（Ｓ１３２）。Ｓ１３２における通知先は、例えば、Ｓ１３１において決定された洗い機の図示していない表示部でも良いし、Ｓ１３１において決定された洗い機とは別の電子機器の表示部でも良い。洗い機の操作者は、Ｓ１３２における通知を受けると、Ｓ１３２において通知されたメディア、すなわち、Ｓ１２７における指示に応じて蒸し機によって蒸しが実行されたメディアと、水とを、Ｓ１３２において通知された洗い機にセットした後、メディアおよび水のセットが完了したことを、例えば、Ｓ１３２において通知された洗い機の図示していない操作部や、Ｓ１３２において通知された洗い機とは別の電子機器の操作部を介して、生産管理システム２０に通知することができる。
【００７６】
制御部２５は、Ｓ１３２の処理の後、メディアおよび水のセットが完了したことが通知されたと判断するまで、メディアおよび水のセットが完了したことが通知されたか否かを判断する（Ｓ１３３）。
【００７７】
推奨条件決定部２５ｃは、メディアおよび水のセットが完了したことが通知されたとＳ１３３において判断されると、Ｓ１３１において決定された洗い機による処理の推奨の条件を決定する（Ｓ１３４）。ここで、推奨条件決定部２５ｃは、対象ジョブにおいて示されているメディアの種類と、対象ジョブにおいて示されている成果物の目的の品質と、Ｓ１３１において決定された洗い機の種類および設置場所との組み合わせに、洗い機処理条件情報２４ｉにおいて関連付けられている、処理の推奨の条件を、Ｓ１３１において決定された洗い機による処理の推奨の条件として決定する。
【００７８】
推奨条件決定部２５ｃは、Ｓ１３４の処理の後、Ｓ１３４において決定された、洗い機による処理の推奨の条件を利用者に通知する（Ｓ１３５）。ここで、利用者とは、例えば、Ｓ１３１において決定された洗い機の操作者でも良い。Ｓ１３５における通知先は、例えば、Ｓ１３１において決定された洗い機の図示していない表示部でも良いし、Ｓ１３１において決定された洗い機とは別の電子機器の表示部でも良い。利用者は、Ｓ１３５における通知を受けると、利用者が希望する、洗い機による処理の条件を、例えば、Ｓ１３５における通知先の電子機器の図示していない操作部を介して、生産管理システム２０に通知することができる。ここで、利用者が希望する、洗い機による処理の条件は、Ｓ１３５において通知された、洗い機による処理の推奨の条件と同一でも良いし、Ｓ１３５において通知された、洗い機による処理の推奨の条件から変更されても良い。
【００７９】
制御部２５は、Ｓ１３５の処理の後、利用者が希望する、洗い機による処理の条件が通知されたと判断するまで、利用者が希望する、洗い機による処理の条件が通知されたか否かを判断する（Ｓ１３６）。
【００８０】
制御部２５は、利用者が希望する、洗い機による処理の条件が通知されたとＳ１３６において判断すると、Ｓ１３１において決定された洗い機にメディアの洗いを指示する（Ｓ１３７）。ここで、Ｓ１３７における指示には、Ｓ１３６において通知されたと判断した、洗い機による処理の条件が含まれる。洗い機は、Ｓ１３７における指示を受けると、Ｓ１３７における指示に応じてメディアの洗いを実行し、メディアの洗いが完了すると、メディアの洗いの処理が完了したことを生産管理システム２０に通知する。
【００８１】
制御部２５は、Ｓ１３７の処理の後、メディアの洗いの処理が完了したことが通知されたと判断するまで、メディアの洗いの処理が完了したことが通知されたか否かを判断する（Ｓ１３８）。
【００８２】
処理条件情報管理部２５ａは、メディアの洗いの処理が完了したことが通知されたとＳ１３８において判断されると、洗いの処理が完了したメディア、すなわち、生産の対象の成果物が目的の品質であったか否かの問い合わせを利用者に通知する（Ｓ１４１）。ここで、利用者とは、例えば、Ｓ１３１において決定された洗い機の操作者でも良い。Ｓ１４１における通知先は、例えば、予め設定されている任意の電子機器の表示部でも良い。利用者は、Ｓ１４１における通知を受けると、生産の対象の成果物が目的の品質であったか否かの回答を、例えば、Ｓ１４１における通知先の電子機器の図示していない操作部を介して、生産管理システム２０に通知することができる。
【００８３】
処理条件情報管理部２５ａは、Ｓ１４１の処理の後、利用者から回答が通知されたと判断するまで、利用者から回答が通知されたか否かを判断する（Ｓ１４２）。
【００８４】
処理条件情報管理部２５ａは、利用者から回答が通知されたとＳ１４２において判断すると、今回の生産について生産履歴情報２４ｊを更新する（Ｓ１４３）。ここで、生産履歴情報２４ｊのうち、生産の対象の成果物の目的の品質、生産に使用したメディアの種類、生産に使用した前処理剤の種類、生産に使用したインクの種類は、それぞれ、対象ジョブにおいて示されている、成果物の目的の品質、メディアの種類、前処理剤の種類、インクの種類が入力される。また、生産履歴情報２４ｊのうち、生産に使用した前処理機の種類および設置場所、生産に使用したプリンターの種類および設置場所、生産に使用した蒸し機の種類および設置場所、生産に使用した洗い機の種類および設置場所は、それぞれ、Ｓ１０１において決定された前処理機の種類および設置場所、Ｓ１１１において決定されたプリンターの種類および設置場所、Ｓ１２１において決定された蒸し機の種類および設置場所、Ｓ１３１において決定された洗い機の種類および設置場所が入力される。また、生産履歴情報２４ｊのうち、生産に使用した前処理機による処理の条件、生産に使用したプリンターによる処理の条件、生産に使用した蒸し機による処理の条件、生産に使用した洗い機による処理の条件は、それぞれ、Ｓ１０６において通知されたと判断した、前処理機による処理の条件、Ｓ１１６において通知されたと判断した、プリンターによる処理の条件、Ｓ１２６において通知されたと判断した、蒸し機による処理の条件、Ｓ１３６において通知されたと判断した、洗い機による処理の条件が入力される。また、生産履歴情報２４ｊのうち、生産の対象の成果物が目的の品質であったか否かの情報は、Ｓ１４３において通知されたと判断した回答の内容が入力される。
【００８５】
処理条件情報管理部２５ａは、Ｓ１４３の処理の後、Ｓ１４３において更新した生産履歴情報２４ｊに基づいて前処理機処理条件情報２４ｆ、プリンター処理条件情報２４ｇ、蒸し機処理条件情報２４ｈおよび洗い機処理条件情報２４ｉを更新する（Ｓ１４４）。ここで、Ｓ１４４における更新のアルゴリズムとしては、様々なアルゴリズムが採用されることが可能である。
【００８６】
制御部２５は、Ｓ１４４の処理の後、図６〜図８に示す動作を終了する。
【００８７】
以上に説明したように、生産管理システム２０は、成果物の品質と、成果物の生成に使用する電子機器の種類および設置場所と、電子機器による処理の推奨の条件との関連を示す処理条件情報と、成果物の目的の品質と、成果物の生成に使用する予定の電子機器の種類および設置場所とに基づいて、成果物の生成に使用する予定の電子機器による処理の推奨の条件を決定する（Ｓ１０４、Ｓ１１４、Ｓ１２４、Ｓ１３４）ので、成果物の生成に使用する電子機器の設置場所による成果物の品質のばらつきを低減することができる。
【００８８】
生産管理システム２０は、成果物の生成に使用する予定の電子機器を特定のアルゴリズムに基づいて自動で決定する（Ｓ１０１、Ｓ１１１、Ｓ１２１、Ｓ１３１）ので、利便性を向上することができる。
【００８９】
生産管理システム２０は、電子機器による処理の実際の条件と、この条件によって電子機器によって処理された成果物の実際の品質とに基づいて、処理条件情報を学習する（Ｓ１４１〜Ｓ１４４）ので、処理条件情報の精度を向上することができ、その結果、成果物の生成に使用する電子機器の設置場所による成果物の品質のばらつきを更に低減することができる。
【００９０】
生産システム１０は、本実施の形態において、メディアへのインクによる印刷以外に、メディアへの前処理剤の塗布と、メディアの蒸しと、メディアの洗いとを実行することによって、成果物を生産する。しかしながら、生産システム１０は、メディアへの前処理剤の塗布と、メディアの蒸しと、メディアの洗いとの少なくとも１つを実行せずに、成果物を生産しても良い。
【符号の説明】
【００９１】
２０  生産管理システム（コンピューター）
２４ａ  生産管理プログラム
２４ｆ  前処理機処理条件情報（処理条件情報）
２４ｇ  プリンター処理条件情報（処理条件情報）
２４ｈ  蒸し機処理条件情報（処理条件情報）
２４ｉ  洗い機処理条件情報（処理条件情報）
２５ａ  処理条件情報管理部
２５ｂ  使用機器決定部
２５ｃ  推奨条件決定部
３０  前処理機（電子機器）
４０  プリンター（電子機器）
５０  蒸し機（電子機器）
６０  洗い機（電子機器）
【図１】
2020098447.tif 000003
【図２】
2020098447.tif 000004
【図３】
2020098447.tif 000005
【図４】
2020098447.tif 000006
【図５】
2020098447.tif 000007
【図６】
2020098447.tif 000008
【図７】
2020098447.tif 000009
【図８】
2020098447.tif 000010